(57)【特許請求の範囲】
【請求項１】
本体部の長手方向一方側の端部に配置されて相対的に往復動する対をなす櫛状刃と、
前記櫛状刃で切断する毛を挿通させる毛挿通部が複数形成され、その使用位置では前記本体部の前記長手方向一方側を覆うように配置されるコーム部と、
前記本体部に前記長手方向に沿ってスライド可能に取り付けられるとともに前記櫛状刃の往復動方向と略平行な回動軸回りに回動可能に設けられて前記コーム部を有する可動部と、を備え、
前記コーム部を、前記使用位置より前記長手方向他端側となる格納位置で、前記本体部に保持できるようにしたヘアカッタにおいて、
前記本体部に、前記コーム部を前記使用位置から格納位置へ向かわせるべく前記可動部をスライドさせるのに伴って当該可動部が前記回動軸回りに前記コーム部の前記櫛状刃からの離間方向に回動するように、当該可動部を相対的に押圧する押圧部を設け、
前記可動部を前記回動軸回りに前記押圧部による押圧方向とは逆の回動方向に付勢する付勢機構を設けたことを特徴とするヘアカッタ。
【請求項２】
前記本体部に、前記長手方向に沿って往復スライド可能に支持されるスライダを設け、
前記可動部を、前記スライダに前記回動軸回りに回動可能に支持したことを特徴とする請求項１に記載のヘアカッタ。
【請求項３】
前記本体部に、前記スライダに設けた被案内部を往復スライド可能に案内するレールを設け、
前記被案内部およびレールに、凹凸係合によって前記使用位置における前記コーム部の前記櫛状刃に対する前記長手方向の相対位置を可変設定可能な位置調整機構を設けたことを特徴とする請求項２に記載のヘアカッタ。
【請求項４】
前記スライダの前記長手方向一方側の端部に、前記櫛状刃で切断する毛を挿通させる毛挿通部が複数形成された第２コーム部を設け、
前記コーム部を、可動部の前記長手方向一方側の端部に設け、
前記使用位置にある前記コーム部と第２コーム部とが前記櫛状刃を囲うように構成したことを特徴とする請求項２または３に記載のヘアカッタ。
【請求項５】
前記スライダを、前記本体部の外周面を外側から囲うように取り付けたことを特徴とする請求項２〜４のうちいずれか一つに記載のヘアカッタ。
【請求項６】
本体部の長手方向一方側の端部に配置されて相互に摺動する対をなす刃と、
前記刃で切断する毛を挿通させる毛挿通部が複数形成され、その使用位置では前記本体部の前記長手方向一方側を覆うように配置されるコーム部と、
前記本体部に前記長手方向に沿ってスライド可能に取り付けられるとともに当該長手方向と略垂直な面に沿う方向に伸びる回動軸回りに回動可能に設けられて前記コーム部を有する可動部と、を備え、
前記コーム部を、前記使用位置より前記長手方向他端側となる格納位置で、前記本体部に保持できるようにしたヘアカッタにおいて、
前記本体部に、前記コーム部を前記使用位置から格納位置へ向かわせるべく前記可動部をスライドさせるのに伴って、当該可動部が前記回動軸回りに前記コーム部の前記刃からの離間方向に回動するように、当該可動部を相対的に押圧する押圧部を設け、
前記可動部を前記回動軸回りに前記押圧部による押圧方向とは逆の回動方向に付勢する付勢機構を設けたことを特徴とするヘアカッタ。
【発明の詳細な説明】
【技術分野】
【０００１】
本発明は、ヘアカッタに関する。
【背景技術】
【０００２】
従来、コーム部を有する着脱可能なアタッチメントを備えたヘアカッタとして、特許文献１に開示される電動バリカンが知られている。特許文献１の電動バリカンでは、コーム部を有するアタッチメントを取り外して使用できるようにしてある。
【特許文献１】実開昭６１−２６４７０号公報
【発明の開示】
【発明が解決しようとする課題】
【０００３】
しかしながら、上記特許文献１のようにアタッチメントを取り外す構成では、取り外したアタッチメントの置き場所を確保することが必要となる上、誤って紛失した場合には当該アタッチメントを用いた処理を行うことができなくなってしまうという問題があった。
【０００４】
そこで、本発明は、アタッチメントの使い勝手を向上することが可能なヘアカッタを得ることを目的とする。
【課題を解決するための手段】
【０００５】
請求項１の発明にあっては、本体部の長手方向一方側の端部に配置されて相対的に往復動する対をなす櫛状刃と、上記櫛状刃で切断する毛を挿通させる毛挿通部が複数形成され、その使用位置では上記本体部の上記長手方向一方側を覆うように配置されるコーム部と、上記本体部に上記長手方向に沿ってスライド可能に取り付けられるとともに上記櫛状刃の往復動方向と略平行な回動軸回りに回動可能に設けられて上記コーム部を有する可動部と、を備え、上記コーム部を、上記使用位置より上記長手方向他端側となる格納位置で、上記本体部に保持できるようにしたヘアカッタにおいて、上記本体部に、上記コーム部を上記使用位置から格納位置へ向かわせるべく上記可動部をスライドさせるのに伴って当該可動部が上記回動軸回りに上記コーム部の上記櫛状刃からの離間方向に回動するように、当該可動部を相対的に押圧する押圧部を設け、上記可動部を上記回動軸回りに上記押圧部による押圧方向とは逆の回動方向に付勢する付勢機構を設けたことを特徴とする。
【０００８】
請求項２の発明にあっては、上記本体部に、上記長手方向に沿って往復スライド可能に支持されるスライダを設け、上記可動部を、上記スライダに上記回動軸回りに回動可能に支持したことを特徴とする。
【０００９】
請求項３の発明にあっては、上記本体部に、上記スライダに設けた被案内部を往復スライド可能に案内するレールを設け、上記被案内部およびレールに、凹凸係合によって上記使用位置における上記コーム部の上記櫛状刃に対する上記長手方向の相対位置を可変設定可能な位置調整機構を設けたことを特徴とする。
【００１０】
請求項４の発明にあっては、上記スライダの上記長手方向一方側の端部に、上記櫛状刃で切断する毛を挿通させる毛挿通部が複数形成された第２コーム部を設け、上記コーム部を、可動部の上記長手方向一方側の端部に設け、上記使用位置にある上記コーム部と第２コーム部とが上記櫛状刃を囲うように構成したことを特徴とする。
【００１１】
請求項５の発明にあっては、上記スライダを、上記本体部の外周面を外側から囲うように取り付けたことを特徴とする。
【００１２】
請求項６の発明にあっては、本体部の長手方向一方側の端部に配置されて相互に摺動する対をなす刃と、上記刃で切断する毛を挿通させる毛挿通部が複数形成され、その使用位置では上記本体部の上記長手方向一方側を覆うように配置されるコーム部と、上記本体部に上記長手方向に沿ってスライド可能に取り付けられるとともに当該長手方向と略垂直な面に沿う方向に伸びる回動軸回りに回動可能に設けられて上記コーム部を有する可動部と、を備え、上記コーム部を、上記使用位置より上記長手方向他端側となる格納位置で、上記本体部に保持できるようにしたヘアカッタにおいて、上記本体部に、上記コーム部を上記使用位置から格納位置へ向かわせるべく上記可動部をスライドさせるのに伴って、当該可動部が上記回動軸回りに上記コーム部の上記刃からの離間方向に回動するように、当該可動部を相対的に押圧する押圧部を設け、上記可動部を上記回動軸回りに上記押圧部による押圧方向とは逆の回動方向に付勢する付勢機構を設けたことを特徴とする。
【発明の効果】
【００１３】
請求項１または６の発明によれば、コーム部を使用しないときにも本体部に取り付けたままにしておくことができるため、コーム部を有するアタッチメントを着脱させる場合に比べて使い勝手が良くなる。また、可動部を本体部に対して回動させかつ長手方向に沿ってスライドさせるという操作でコーム部の使用状態と非使用状態とを比較的容易に切り替えることができる。
【００１４】
また、可動部を本体部に対してスライドさせるのに伴って当該可動部を押圧部で押圧して自動的に回動させることができるので、スライド操作のみでコーム部を使用位置から格納位置に移動させることができる。
【００１５】
また、付勢機構によってコーム部が使用位置に向かう方向に可動部を回動付勢することができるので、可動部をスライド操作のみでコーム部を格納位置から使用位置に移動させることができる。
【００１６】
請求項２の発明によれば、本体部と可動部との間にスライダを介在させたため、可動部を本体部に対して回動可能に支持する部分と、本体部に可動部をスライド可能に支持させる部分とを、分けて構成することができ、それぞれよりしっかりとした構成として得やすくなる。
【００１７】
請求項３の発明によれば、位置調整機構を被案内部とレールとの嵌合部分に設けたため、凹凸係合する部分をスライダやレール側の部材で隠して、美観の向上を図ることができる。
【００１８】
請求項４の発明によれば、櫛状刃をコーム部と第２コーム部とで囲うことができるため、カットする際の肌に対する本体部の姿勢や走査方向の制約が減ることとなって、使い勝手が向上する。
【００１９】
請求項５の発明によれば、スライダを本体部の外周を囲むように設けたため、スライダひいては可動部の本体部に対するがたつきを抑制しやすくなる。
【発明を実施するための最良の形態】
【００２０】
以下、本発明の一実施形態について図面を参照しながら詳細に説明する。図１は、本実施形態にかかるヘアカッタの斜視図であって、コーム部が使用位置にある状態を示す図、図２は、ヘアカッタの斜視図であって、コーム部が格納位置にある状態を示す図、図３は、ヘアカッタの本体部を示す斜視図、図４は、ヘアカッタの可動部およびスライダを示す斜視図、図５は、可動部およびスライダを示す斜視図であって、可動部が内側位置にある状態を示す図、図６は、可動部およびスライダを示す斜視図であって、可動部が外側位置にある状態を示す図である。なお、各図中、本体部の長手方向をＬ、また、ヘアカッタの刃の往復動方向をＥと示す。また、以下では、便宜上、本体部の長手方向Ｌについて刃が形成される側を長手方向一方側と定義する。
【００２１】
図１〜図３に示すように、本実施形態にかかるヘアカッタ１は、一方向（長手方向Ｌ）に略沿って伸びる本体部２を備えている。本体部２の長手方向Ｌの中央部から他方側（図１〜３では右上側）にかけては使用者が手で持つ把持部３となる。
【００２２】
本体部２の長手方向一方側（図１〜３では左下側）の端部、すなわち先端部４の端縁４ｂには、相互に摺動する一対の刃（本実施形態では固定刃５ａおよび可動刃５ｂ）としての櫛状刃５が設けられている。本実施形態では、固定刃５ａおよび可動刃５ｂの鋸歯を、相互に重なりあう状態で、長手方向Ｌに直交する面（仮想平面）に沿う方向（＝往復動方向Ｅ）に沿って配列し、可動刃５ｂを、図示しない駆動機構を用いて、この方向に往復動させるようにしてある。この方向は、可動刃５ｂの往復動方向Ｅであり、かつ鋸歯の配列方向でもある。そして、かかる構成では、固定刃５ａの鋸歯と可動刃５ｂの鋸歯との間に挟まれた毛が剪断される。
【００２３】
そして、図１に示すように、本実施形態では、櫛状刃５をコーム部９（９Ａ，９Ｂ）によって長手方向Ｌの一方側から覆うことができるように構成されている。コーム部９Ａ，９Ｂには、それぞれ、方向Ｅに沿って略一定のピッチで毛挿通部としての切欠状のスリット９ａ，９ｂが複数形成されている。スリット９ａ，９ｂは、それぞれ長手方向Ｌに沿って伸びている。コーム部９の使用状態では、スリット９ａ，９ｂを通り抜けて櫛状刃５に到達した毛が当該櫛状刃５によってカットされることになり、かくしてコーム部９による毛の長さの調整、すなわち刈り高さ調節機能が得られるようにしてある。なお、コーム部９Ａ，９Ｂは、いずれも、少なくとも可動刃５ｂとは非接触となるように配置されている。
【００２４】
また、本実施形態では、本体部２に、その長手方向に沿って移動可能に支持される可動体６を取り付け、この可動体６にコーム部９を設けてある。そして、コーム部９を介することなく櫛状刃５で毛を直接切断する際には、コーム部９を含む可動体６を本体部２から取り外すことなく、長手方向Ｌの他方側に移動させ、櫛状刃５を露出できるようにしてある。
【００２５】
可動体６は、本体部２に長手方向Ｌに沿って往復スライド可能に支持されるスライダ７と、スライダ７に回動可能に支持される可動部８とを備えている。
【００２６】
スライダ７は、一対の略台形状の側板７ａ，７ａと、側板７ａ，７ａの端縁間で架設される底板７ｂと、を有して略断面Ｕ字状に形成されており、本体部２の外周面（側面３ａ，４ａ）を外側から囲うようになっている。そして、底板７ｂの長手方向Ｌの一方側となる端縁部が長手方向Ｌの他方側に向けて切り込まれてスリット９ｂが形成されている。本実施形態では、このスリット９ｂが本発明の毛挿通部に相当し、スリット９ｂが複数形成された底板７ｂの端縁部が本発明の第２コーム部９Ｂに相当する。
【００２７】
側板７ａ，７ａの内面（相互に対向する面）には、長手方向Ｌに沿って延設される一対の突条部１０ｂ，１０ｂが形成されている。
【００２８】
そして、本体部２の把持部３および先端部４の側面３ａ，４ａには、これら突条部１０ｂ，１０ｂに対応して、長手方向Ｌに沿って伸びる一対の凹溝１０ａ，１０ａが形成されている。突条部１０ｂは、それぞれ対応する凹溝１０ａ内に挿入され、この凹溝１０ａにより、当該凹溝１０ａの延設方向、すなわち長手方向Ｌに沿って摺動案内される。すなわち、本実施形態では、これら凹溝１０ａおよび突条部１０ｂによって、スライダ７および可動部８を含む可動体６を本体部２に長手方向Ｌに沿ってスライド可能に支持する支持するスライド支持機構１０が構成されており、凹溝１０ａがレール、突条部１０ｂが被案内部に相当する。
【００２９】
可動部８は、方向Ｅと略平行な回動軸Ａｘ回りに回動可能となる状態に、一対の側板７ａ，７ａ間に架設されている。具体的には、例えば、可動部８の天板部８ｂにおいて長手方向Ｌの他方側の端縁部８ａから回動軸Ａｘを中心軸とする一対の軸部（図示せず）を突出させ、これら軸部を側板７ａ，７ａに設けた受容孔（図示せず）に緩挿して、当該受容孔を軸部のすべり軸受として用いることができる。
【００３０】
可動部８は、天板部８ｂの他、当該天板部８ｂの長手方向Ｌの一方側の端縁から斜めに傾斜して当該一方側に向けて伸びる傾斜板部８ｃを備えている。そして、この傾斜板部８ｃの回動軸Ａｘから離間した先端側の端縁部（長手方向Ｌの一方側の端縁部）を、長手方向Ｌの他方側（回動軸Ａｘ側）に向けて切り込んでスリット９ａを形成してある。各スリット９ａは、スリット９ｂと略一定ピッチで当該スリット９ｂと対向する位置に形成されている。本実施形態では、このスリット９ａが本発明の毛挿通部に相当し、スリット９ａが複数形成された傾斜板部８ｃの端縁部が本発明のコーム部９Ａに相当する。
【００３１】
コーム部９の使用状態では、図１および図５に示すように、可動部８およびスライダ７に形成されたコーム部９Ａ，９Ｂが、櫛状刃５の先端側（長手方向Ｌの一方側）に少なくとも可動刃５ｂ（本実施形態では固定刃５ａおよび可動刃５ｂの双方）に対して間隙をもって配置され、これら櫛状刃５を囲うようになっている。
【００３２】
使用状態では、図１に示すように、コーム部９Ａを含む可動部８は、本体部２の先端部４に対して長手方向Ｌの一方側に配置されているため、仮に可動部８が可動体６に固定されていたとすれば、当該可動部８を含む可動体６を本体部２に沿って長手方向Ｌの他方側に移動させようとすると、可動部８が先端部４に引っ掛かってしまうことになる。この点、本実施形態では、可動部８を回動軸Ａｘ回りに回動できるようにしたため、可動部８を外開き方向（すなわち、コーム部９が櫛状刃５から離間する方向、図６，図８中の矢印ＯＰ）に回動させることで、先端部４（本体部２）に引っ掛かるのを避けることができる。
【００３３】
さらに、本実施形態では、本体部２に、可動体６を本体部２の長手方向Ｌの他方側にスライドさせるのに伴って可動部８を回動軸Ａｘ回りに外開き方向に相対的に押圧する押圧部１２を設け、可動体６をスライドさせる操作のみで、可動部８を回動させることができるようにしてある。
【００３４】
具体的には、図４に示すように、可動部８の天板部８ｂに本体部２（先端部４）の側面の一つとしての天面４ｃ側に突出する突起１２ｄを設ける一方、図３に示すように、先端部４には、突起１２ｄの端縁１２ｅと摺接する段差状の摺接面１２ａ，１２ｂ，１２ｃを形成し、端縁１２ｅを摺接面１２ａ，１２ｂ，１２ｃに沿って案内することで、可動部８を外開き方向に跳ね上げることができる。
【００３５】
図７および図８は、可動体６のスライドに伴って可動部８が押圧部１２によって相対的に押圧される様子を模式的に示す側面図である。
【００３６】
コーム部９Ａが使用位置Ｐ１（図１）にある状態では、図７に示すように、突起１２ｄの端縁１２ｅは摺接面１２ａと当接している。この図７の状態から、可動体６を本体部２の長手方向Ｌの他端側に向けてスライドさせると、突起１２ｄは、スライド方向（長手方向Ｌ）に対して傾斜する摺接面１２ｂに沿ってこの摺接面１２ｂに乗り上げるように移動することになり、可動部８に形成されたコーム部９Ａが櫛状刃５（図１等参照）から離間する方向（図７，図８中時計回り方向、図８中の矢印ＯＰ）に回動する。そして、図８に示すように、可動体６を本体部２の長手方向Ｌの他端側にさらにスライドさせると、突起１２ｄが摺接面１２ｃと当接し、可動部８は図８に示す回動姿勢のまま図２に示す格納位置Ｐ２まで平行移動することになる。
【００３７】
そして、本実施形態では、押圧部１２による可動部８の押圧方向（図８中の矢印ＯＰ）とは逆の回動方向（図８中の矢印ＣＬ）に可動部８を付勢する付勢機構を設けてある。具体的には、図４，図７，図８等に示すように、可動部８に形成した突起１２ｄとスライダ７の側板７ａに形成した突起１３ａとの間に板バネとしての付勢機構１３を架設し、押圧方向ＯＰとは逆の回動方向ＣＬに可動部８を付勢してある。このように付勢機構１３を設けたことで、格納位置Ｐ２（図２）においては、可動部８の先端側を先端部４に近付ける方向に付勢して、当該先端部４に密着させておくことができる上、使用位置Ｐ１（図１）においては、可動部８が不本意に跳ね上がって櫛状刃５が剥き出しになるのを抑制することができる。
【００３８】
また、本実施形態では、図４に示すように、被案内部としての突条部１０ｂに、凹溝１０ａの奥側に向けて突出する爪状の突起１１ｂを設ける一方、図３に示すように、レールとしての凹溝１０ａ内にこの突起１１ｂが係合（凹凸係合）する凹部１１ａを長手方向Ｌに沿って複数設けた。かかる構成により、コーム部９Ａが使用位置Ｐ１（図１）にある状態で、突起１１ｂに係合する凹部１１ａの位置を長手方向Ｌに沿って変化させ、以て、当該コーム部９Ａ（９）の櫛状刃５に対する長手方向Ｌにおける相対位置を可変設定できるようにしてある。すなわち、本実施形態では、突起１１ｂおよび凹部１１ａによって位置調整機構が構成されている。
【００３９】
以上、説明したように、本実施形態によれば、本体部２に、長手方向Ｌに沿ってスライド可能に支持されるとともに回動軸Ａｘ回りに回動可能に支持されてコーム部９Ａを有する可動部８を設け、そのコーム部９Ａを、使用位置Ｐ１（図１）より長手方向の他方側となる格納位置Ｐ２（図２）で、本体部２に保持できるようにした。このため、コーム部９Ａを使用しないときにも、当該コーム部９Ａを本体部２から取り外すことなく、本体部２にそのまま装着しておくことができるため、従来のアタッチメントを取り外す構成のように、当該アタッチメントの置き場所を確保したり、紛失したりする虞も無く、使い勝手を向上することができる。
【００４０】
また、本実施形態では、本体部２の先端部４に、コーム部９Ａを使用位置Ｐ１（図１）から格納位置Ｐ２（図２）へ向かわせるべく可動部８（可動体６）をスライドさせるのに伴って当該可動部８を回動軸Ａｘ回りに外開き方向ＯＰに相対的に押圧する押圧部１２を設けた。かかる構成により、可動部８を本体部２に対してスライドさせるのに伴って当該可動部８を摺接面１２ｂで押圧して自動的に回動させることができるので、スライド操作のみでコーム部９Ａを使用位置Ｐ１から格納位置Ｐ２へ移動させることができる。
【００４１】
また、本実施形態では、可動部８を回動軸Ａｘ回りに摺接面１２ｂによる押圧方向（図８中の矢印ＯＰ）とは逆の回動方向（図８中の矢印ＣＬ）に付勢する付勢機構１３を設けた。よって、可動部８を格納位置Ｐ２（図２）から使用位置Ｐ１（図１）に向けてスライド操作することで、付勢機構１３によって、コーム部９Ａを使用状態での姿勢に自動的に復帰させることができる。付勢機構１３によってコーム部９Ａが使用位置Ｐ１に向かう方向に可動部８を回動付勢することができるので、可動部８をスライドさせる操作のみでコーム部９Ａを格納位置Ｐ２から使用位置Ｐ１に移動させることができる。また、可動部８を、コーム部９Ａが本体部２に近付く方向に常時付勢して、本体部２の外周に沿わせておくことができるため、可動部８が不本意に動いて取り扱い難くなるのを抑制することができる。
【００４２】
また、本実施形態では、本体部２に、長手方向Ｌに沿って往復スライド可能に支持されるスライダ７を設け、可動部８を、スライダ７に回動軸Ａｘ回りに回動可能に支持した。このように本体部２可動部８との間にスライダ７を介在させることで、可動部８を本体部２に対して回動可能に支持する部分と、本体部２に対して可動部８をスライド可能に支持させる部分とを、分けて構成することができ、それぞれよりしっかりとした構成として得やすくなる。
【００４３】
また、本実施形態では、本体部２に、スライダ７に設けた被案内部としての突条部１０ｂを往復スライド可能に案内するレールとしての凹溝１０ａを設け、これら突条部１０ｂおよび凹溝１０ａに、凹凸係合によって使用位置Ｐ１におけるコーム部９Ａの櫛状刃５に対する長手方向Ｌの相対位置を可変設定可能な位置調整機構１１としての突起１１ｂおよび凹部１１ａを設けた。かかる構成によれば、位置調整機構１１によって、毛の切断状態をより緻密に調整できるようになる。また、位置調整機構１１の凹凸係合する部分をスライダ７や凹溝１０ａ側の部材（本体部２）で隠して、美観の向上を図ることができる。
【００４４】
また、本実施形態では、スライダ７の長手方向一方側の端部に、毛挿通部としてのスリット９ｂが複数形成された第２コーム部９Ｂを設け、コーム部９Ａを、可動部８の長手方向Ｌの一方側の先端部に設け、可動部８が使用位置Ｐ１にある状態で、コーム部９Ａと第２コーム部９Ｂとが櫛状刃５を囲うように構成した。よって、このように櫛状刃５をコーム部９Ａと第２コーム部９Ｂとで囲うことができるようになる分、カットする際の肌に対する本体部２の姿勢や走査方向の制約が減ることとなって、使い勝手が向上する。
【００４５】
また、本実施形態では、スライダ７を、本体部２の外周面としての側面３ａ，４ａを外側から囲うように取り付けた。このようにスライダ７を本体部２の外周を囲むように設けたため、スライダ７ひいては可動部８の本体部２に対するがたつきを抑制しやすくなる。
【００４６】
以上、本発明の好適な実施形態について説明したが、本発明は上記実施形態には限定されず、種々の変形が可能である。
【００４７】
例えば、上記実施形態にかかるヘアカッタは、電動バリカンや、髭を調整する髭トリマ装置、シェーバーの他、種々の装置として実施することができる。上記コーム部をスキ刈り用に構成し、使用することもできる。
【００４８】
また、上記実施形態では、略矩形断面の本体部を有するヘアカッタについて例示したが、楕円状断面や長円状断面等、他の形状の本体部を有するヘアカッタについても、本発明を同様に適用することが可能である。
【００４９】
また、スライダと可動部とを別構成とするのではなく、例えば、可動部に設けた軸を本体部に形成された凹溝に回動可能かつ摺動可能に挿入する構成のように、可動部そのものが直接スライダ等を介することなく本体部にスライド可能かつ回動可能に支持される構成としてもよい。
【００５０】
また、回動軸の延伸方向は、櫛状刃の往復動方向や鋸歯の配列方向と同じ方向には限定されない。
【００５１】
また、押圧部は、可動部が本体部に対して相対スライドする際に本体部が相対的に可動部を押圧するものであればよく、上記可動部に設けた突起と本体部に設けた段差面（傾斜面）との組み合わせに限定されるものではない。
【００５２】
また、可動部あるいはスライダを本体部に長手方向に沿って移動可能に支持するスライド支持機構は、本体部にレールとしての突条を設け、可動部あるいはスライダ側に被案内部として突条が挿入される凹溝を設けて、凹溝に対する突条の挿入状態を維持しながら、可動部あるいはスライダを本体部に対して移動させる構成としてもよい。
【００５３】
また、位置調整機構は、突起を凹溝内に設け、この突起と凹凸係合する凹部を突条に設けてもよい。
【図面の簡単な説明】
【００５４】
【図１】本発明の一実施形態にかかるヘアカッタの斜視図であって、コーム部が使用位置にある状態を示す図である。
【図２】本発明の一実施形態にかかるヘアカッタの斜視図であって、コーム部が格納位置にある状態を示す図である。
【図３】本発明の一実施形態にかかるヘアカッタの本体部を示す斜視図である。
【図４】本発明の一実施形態にかかるヘアカッタの可動部およびスライダを示す斜視図である。
【図５】本発明の一実施形態にかかるヘアカッタに含まれる可動部およびスライダを示す斜視図であって、可動部が内側位置にある状態を示す図である。
【図６】本発明の一実施形態にかかるヘアカッタに含まれる可動部およびスライダを示す斜視図であって、可動部が外側位置にある状態を示す図である。
【図７】本発明の一実施形態にかかるヘアカッタに含まれる可動体のスライドに伴って押圧部によって可動部が相対的に押圧される様子を模式的に示す側面図であって、押圧前を示す図である。
【図８】本発明の一実施形態にかかるヘアカッタに含まれる可動体のスライドに伴って押圧部によって可動部が相対的に押圧される様子を模式的に示す側面図であって、押圧後を示す図である。
【符号の説明】
【００５５】
１  ヘアカッタ
２  本体部
３ａ，４ａ  側面（外周面）
５  櫛状刃
５ａ  固定刃
５ｂ  可動刃
７  スライダ
８  可動部
９Ａ  コーム部
９Ｂ  第２コーム部
９ａ，９ｂ  スリット（毛挿通部）
１０ａ  凹溝（レール）
１０ｂ  突条部（被案内部）
１１  位置調整機構
１１ａ  凹部
１１ｂ  突起
１２  押圧部
１３  付勢機構
Ａｘ  回動軸
Ｅ  往復動方向
Ｌ  長手方向
Ｐ１  使用位置
Ｐ２  格納位置
【図１】
0004678035.tif 000002
【図２】
0004678035.tif 000003
【図３】
0004678035.tif 000004
【図４】
0004678035.tif 000005
【図５】
0004678035.tif 000006
【図６】
0004678035.tif 000007
【図７】
0004678035.tif 000008
【図８】
0004678035.tif 000009